(57)【要約】  小出し開口部（４２）を有するデッキ（３８）と、デッキから延びる周囲スカート（４４）と、クロージャを容器に固定するための、デッキから延びる内壁（４６）と、を有するベース（３２）を含むチャイルドレジスタント小出しクロージャ。軸線方向の通路（７０）は、周囲スカートと内壁との間でデッキから延び、周囲スカートを通じて、半径方向に外方に開放する。一対の間隔をへだてた出っ張り（７６、７８）は、軸線方向の通路内に配置される。蓋（３４）は、ベースと一体的に成形され、且つデッキの上を覆う閉位置と、デッキから間隔をへだてた開位置との間で回動できるように、ヒンジ（３６）によってベースに連結される。蓋は、蓋の周囲から弾性的に延びるラッチアーム（８２）を有する。ラッチアームは、蓋を閉位置に係止するために、出っ張りと係合する、一対の反対側に延びるタブ（８６、８８）を有する。ラッチアームは、ラッチアームを軸線方向の通路から引き出して、蓋を開位置に向って回動させることができるように、ラッチアームを通路内で半径方向内方に回動させ、且つ出っ張りからタブを解放するために、使用者が、クロージャの外側の半径方向から直接手で触れることができる。【選択図】図２
2008529916.tif 000002
【特許請求の範囲】
【請求項１】
小出し開口部（４２）を有するデッキ（３８）と、クロージャを容器に固定するための、前記デッキから延びる壁（４６）と、半径方向に開放する通路と、前記通路内の一対の間隔をへだてた出っ張り（７６、７８）と、を有するベース（３２）と、
前記ベースと一体的に成形され、且つ前記デッキの上を覆う閉位置と、前記デッキから間隔をへだてた開位置との間で回動できるように、ヒンジ（３６）によって前記ベースに連結された蓋（３４）と、を含み、
前記蓋は、前記蓋の周囲から弾性的に延びる、ラッチアーム（８２）を有し、
前記ラッチアームは、前記蓋を前記閉位置に係止するために、前記出っ張りとの係合のための、一対の反対側に延びるタブ（８６、８８）を有し、
前記ラッチアームは、前記パッケージを開くために、前記クロージャの半径方向の外部から、使用者が直接手で触れることができる、
チャイルドレジスタント小出しクロージャにおいて、
前記クロージャは、前記壁（４６）が内壁であり、且つ前記デッキから延びる周囲スカート（４４）によって囲まれる、二重壁クロージャであり、
前記通路は、前記デッキから、前記周囲スカートと前記内壁との間に延びる、軸線方向の通路（７０）であり、
前記蓋の前記開位置に向う回動は、前記ラッチアームを前記軸線方向の通路から引き出す、
ことを特徴とするチャイルドレジスタント小出しクロージャ。
【請求項２】
前記ベースは、前記ラッチアームの前記軸線方向の通路内での曲げ抵抗を増大させるために、前記ラッチアームによる係合のための支点（８０）を、前記軸線方向の通路と隣接して、前記デッキに有する、請求項１に記載のクロージャ。
【請求項３】
前記支点（８０）は、前記軸線方向の通路（７０）に隣接して前記デッキ（３８）から突出している、請求項２に記載のクロージャ。
【請求項４】
前記ラッチアーム（８２）は、前記支点を通り越すために、互いに間隔をへだてた強化リブ（９０）を含む、請求項３に記載のクロージャ。
【請求項５】
前記タブ（８６、８８）は、前記クロージャの離型を容易にするために、前記蓋の開位置で、前記ラッチアームに隣接して前記蓋の外側面と整合した内側面を有する、請求項１に記載のクロージャ。
【請求項６】
前記クロージャが容器口部から外れるのを防止するために、容器の少なくとも１つのラグと係合する、前記内壁から延びる少なくとも１つのタブ（５０）を含む、請求項１に記載のクロージャ。
【請求項７】
前記ラッチアーム（８２）は、前記蓋に連結された中心脚部（８４）を有するＴ形状をなし、前記一対のタブ（８６、８８）は、前記蓋を前記閉位置に係止すべく、前記出っ張りとの係合のための、前記脚部から横方向に反対方向に延びる、請求項１に記載のクロージャ。
【請求項８】
前記出っ張り（７６、７８）は、前記ラッチアームの弾性および前記ラッチアームと前記蓋の連結により、前記ラッチアームの前記タブが、前記出っ張りの下に半径方向内方にスナップ止めするように、前記蓋が前記閉位置に向って移動されるとき、前記ラッチアームが係合する、半径方向外方に面した表面を有する、請求項７に記載のクロージャ。
【請求項９】
前記出っ張りの、前記半径方向外方に面した表面は、角のあるカム面である、請求項８に記載のクロージャ。
【請求項１０】
ネック口部と、前記ネック口部に固定された、請求項１乃至９のいずれか１項に記載のチャイルドレジスタント小出しクロージャと、を含む、
ことを特徴とするチャイルドレジスタントパッケージ。
【請求項１１】
クロージャを一体的に成形することを含む、チャイルドレジスタントクロージャを製造する方法であって、
クロージャは、小出し開口部（４２）を有するデッキ（３８）と、前記デッキから延びる周囲スカート（４４）と、クロージャを容器に固定するための前記デッキから延びる内壁（４６）と、前記周囲スカートと前記内壁との間で前記デッキから延び、且つ前記周囲スカートを通じて、半径方向に開放した、軸線方向の通路（７０）と、前記軸線方向の通路内に一対の間隔をへだてた出っ張り（７６、７８）と、を有するベース（３２）と、
前記ベースと一体的に成形され、且つ前記デッキの上を覆う閉位置と、前記デッキから間隔をへだてた開位置との間で回動できるように、ヒンジ（３６）によって前記ベースに連結された、蓋（３４）と、を有し、
前記蓋は、前記蓋の周囲から弾性的に延びるラッチアーム（８２）を有し、
前記ラッチアームは、前記蓋を前記閉位置に係止するために、前記出っ張りと係合する、一対の反対側に延びるタブ（８６、８８）を有し、
前記ラッチアームは、ラッチアームを軸線方向の通路から引き出して、蓋を開位置に向って回動させることができるように、前記ラッチアームを前記軸線方向の通路内で半径方向内方に回動させ、且つ前記出っ張りから前記タブを解放するために、使用者が前記クロージャの外側の半径方向から直接手で触れることができる、
ことを特徴とする方法。
【請求項１２】
前記タブ（８６、８８）は、前記クロージャの離型を容易にするために、前記蓋の開位置で、前記ラッチアームに隣接して前記蓋の外側面と整合した内側面を有する、請求項１１に記載の方法。
【発明の詳細な説明】
【技術分野】
【０００１】
本開示は、ヒンジ止めされたフリップトップ式小出しクロージャおよびパッケージ、より詳細には、そのようなクロージャおよびパッケージにチャイルドレジスタント部分を備えることに向けられている。
【背景技術】
【０００２】
米国特許第４，６３８，９１６号および同第５，４８９，０３５号は、一体的に成形されたワンピースのプラスチック構造の小出しクロージャを開示する。これらのクロージャは、小出し開口部を有するベースと、容器のネック口部に固定するための、雌ねじれが切ってあるスカートと、を含む。蓋は、ヒンジによって、ベースの周囲に一体的に連結される。係属出願第１０／６２８，５２１号は、小出し開口部を有するデッキと、周囲スカートと、を有するベースを含むチャイルドレジスタント小出しクロージャを開示する。蓋は、ベースと一体的に成形され、且つ閉位置と開位置との間で回動できるように、ヒンジによってベースの周囲に連結される。蓋とベースのうちの一方は、ヒンジと直径方向に向い合って、周囲から弾性的に延びるラッチアームを有する。ラッチアームは、アームの自由端に隣接して、一対の直径方向に延びるタブを有する。ベースと蓋のうちの他方は、ラッチアームを受け入れるための、軸線方向の通路と、蓋を閉位置に係止するためにタブによる係合のための、通路内の一対の横方向に間隔をへだてた出っ張りと、を有する。ラッチアームは、蓋を開位置に向って回動させることができるようにラッチアームを通路内で半径方向内方に回動させ、且つ出っ張りからタブを解放するために、使用者が、クロージャの外側の半径方向から、直接手で触れることができる。
【発明の開示】
【課題を解決するための手段】
【０００３】
本開示は、互いに別々にあるいは組み合わせて実施することができる、多数の態様あるいは発明を具体化する。
【０００４】
本開示の１つの態様によるチャイルドレジスタント小出しクロージャは、小出し開口部を有するデッキと、デッキから延びる周囲スカートと、クロージャを容器に固定するためのデッキから延びる内壁と、を有するベースを含む。軸線方向の通路が、周囲スカートと内壁との間でデッキから延び、周囲スカートを通じて、半径方向外方に開放する。一対の間隔をへだてた出っ張りが、軸線方向の通路内に配置される。蓋は、ベースと一体的に成形され、且つデッキの上を覆う閉位置と、デッキから間隔をへだてた開位置との間で回動できるように、ヒンジによってベースに連結される。蓋は、蓋の周囲から弾性的に延びるラッチアームを有する。ラッチアームは、蓋を閉位置に係止するために、出っ張りとの係合のための、一対の反対側に延びるタブを有する。ラッチアームは、蓋を開位置に向って回動させることができるように、ラッチアームを通路内で半径方向内方に回動させ、且つ出っ張りからタブを解放するために、使用者がクロージャの外側の半径方向から直接手で触れることができる。ベースは、好ましくは、軸線方向の通路内でのラッチアームの曲げ抵抗を増大させるために、ラッチアームが係合するための、軸線方向の通路と隣接した支点を、デッキに有する。タブは、好ましくは、クロージャの離型を容易にするために、ラッチアームに隣接した蓋の外側面と整合した内側面を有する。
【発明を実施するための最良の形態】
【０００５】
本開示は、その付加的な目的、特徴、利点および態様と一緒に、以下の記載、添付した特許請求の範囲および添付図面から最も良く理解されるであろう。
【０００６】
米国特許出願公開第２００５／００２３２８５号の開示は、参照として本願に援用される。
【０００７】
図１〜７は、容器２２と、容器に固定された小出しクロージャ２４と、を含む、本開示の現在好ましい１つの実施形態による、チャイルドレジスタントパッケージ２０を図示する。容器２２は、クロージャ２４を通じて容器内から製品を小出しするために、使用者が押しつぶすことができる、可撓性弾性構造、好ましくは成形プラスチック構造のボディ２６を有する。容器２４は、また、好ましくは外形が円筒形のネック口部２８を有し、該口部２８は、クロージャ２４が固定される、１つ以上の雄ネジ部あるいは雄形ビード３０を有する。
【０００８】
クロージャ２４は、ベース３２と、ピボットヒンジ３６によってベース３２に一体に連結された蓋３４と、を含む。ヒンジ３６は、米国特許第６，０４１，４７７号に示され、あるいは、上記の同第４，６３８，９１６号あるいは同第５，４８９，０３５号に示されているような、いかなる適当なタイプのものでもよい。クロージャベース３２は、図示すように平らでもドーム形でもよいし、傾斜形でもよいし、あるいはその他の適当な外形のものであってもよい、デッキ３８を含む。デッキ３８には小出し開口部４０が設けられ、該小出し開口部４０は、デッキ３８から軸線の方向に延びる壁４２によって囲まれるのがよい。開口部４０および壁４２は、図面に示すように、菱形であってもよいし、あるいは、円形またはいかなるその他適当な形状でもよい。小出しバルブあるいは同様のものを、開口部４０内に配置してもよいし、小出し開口部は、クロージャの軸線と同心でもよいし、あるいはオフセットしていてもよい。スカート４４が、デッキ３８の外周から延びる。周囲スカート４４は、図面に示す実施形態では、円筒形である。しかしながら、スカート４４は、容器ボディ２６の形状と合致するための、楕円形のような、他の適当な形状のものであってもよい。
【０００９】
内壁４６が、スカート４４内でデッキ３８から、好ましくは、スカート４４と同心に延びる。内壁４６は、好ましくは、円筒形であり、そして、クロージャを容器に固定するために、容器のネック口部２８の雄ネジあるいはビード３０との係合のための１つ以上のネジあるいはビード４８を有する。ネジ固定あるいはスナップビード固定が好ましいが、クロージャは、接着あるいはその他の適当な手段によって、容器に固定されてもよい。少なくとも１つのタブ５０（図４および１０）が、より好ましくは、図示するように、一対の直径方向に向い合ったタブが、好ましくは、内壁４６から軸線方向に延びる。クロージャ２４と容器２２の組み立てでは、タブ５０は、容器のネック口部２８の、直径方向に向い合った対のラグ５２内に受け入れられる。ラグ５２は、クロージャの容器のネック口部への適用中、タブ５０が、ラグに乗り上げてラグの間にスナップ止めできるが、このような組み立て後、容器からのクロージャの取り外しに抵抗することができるように、構成されている。本開示の図示した例示的な実施形態では、環状壁５４が、内壁４６内でデッキ３８から延び、受け入れられて、容器のネック口部２８の開口端とプラグ密封係合する。
【００１０】
蓋３４は、セグメント形周囲スカート５８を有するベース壁５６を含む。本開示の図示した実施形態では、蓋ベース壁３６は、円形であり、スカート５８は、形状が部分円筒形である。一対の間隔をへだてた壁６０、６２が、好ましくは、図２に示すように、ベース３２の小出し開口壁４２と密封係合可能に、スカート５８内で蓋ベース壁５６に配置される。ベース３２上の蓋３４の閉鎖位置では、蓋スカート５８の軸線方向の縁部は、デッキ３８を囲むベース３２の出っ張り６４に係合する。蓋スカート５８の縁部および出っ張り６４の表面は、他のスカート縁部および出っ張り形状を用いることもできるが、好ましくは、平坦で、クロージャの軸線に垂直である。蓋スカート５８の内側のセグメント状ビード６６（図８〜１０）は、ベース３２のセグメント状外部ビード６８（図８および９）に係合して、ベース３２上の閉位置（図１〜７）で、スナップフィットによって蓋３４を保持する。
【００１１】
軸線方向の通路７０が、デッキ３８の開口部７２から、クロージャベース３２の外部周囲スカート４４と内壁４６との間に延びる。かくして、通路７０は、軸線方向の通路であり、クロージャベース３２のヒンジ３６と直径方向に向い合っている。（「直径方向に」は、ベース３２が、必ずしも、示されるような円形形状のものでなければならないことを意味せず、単に、軸線方向の通路７０が、ベース３２の、ヒンジ３６と反対側に配置されることを意味する。「軸線方向の」などのような、方向を示す言葉は、好ましくは、必ずしもではないが、小出し開口部４０、内壁４６および周囲スカート４４と同心である、ベース３２の中心軸線に関して、説明の、および限定しない目的で、このようにして用いられる。）軸線方向の通路７０に通じる、ベース３２のデッキ３８に隣接した半径方向の開口部７４が、周囲スカート４４にある。一対の出っ張り７６、７８が、互いに横方向に間隔をへだてて向い合って、軸線方向の通路７０中に延びる。各出っ張り７６、７８は、デッキ３８から離れて、下方且つ外方角度で延びる、半径方向外方に面した表面を有する（図７、８および１０）。出っ張り７６、７８は、また、軸線方向の通路７０を横切って互いに整合した下面を有する（図２）。好ましくは突出した三角形ボス、最も好ましくは隆起した三角形ボスの形態をなした支点８０（図２、８および１３）が出っ張り７６、７８の間の、軸線方向の通路７０の縁部で、デッキ３８に配置される。
【００１２】
少なくとも１つのラッチアーム８２が、ヒンジ３６から間隔をへだてた位置で、最も好ましくは、ヒンジ３６と直径方向に向い合って、蓋３４の縁から延びる。ラッチアーム８２は、中央脚部８４と、一対の横方向に延びたタブ８６、８８と、を有する、ほぼＴ形状（図３、８および１６）である。タブ８６、８８は、好ましくは、脚部８４の自由端に隣接する。蓋スカート５８は、ラッチアーム８２を、スカート５８の周囲内に収容するために、５８ａ（図２、８、１０および１８）で、くぼまされる。スカート部分５８ａおよびラッチアーム８２は、記載するように、蓋３４を開閉するために、内方および外方に弾性的に可撓性である。一対のリブ９０が、スカート部分５８ａを強化するために、ラッチアーム８２の範囲内でスカート部分５８ａの内面に沿って、且つ蓋ベース壁５６の内側面に延びる。ラッチ８２は、また、蓋スカートを強化するために、ラッチアーム８２から蓋スカート部分５８ａまで延びる一対の外部リブ９２を有する（図１〜３、６、８および１５〜１７）。上で参照した係属出願に示されるように、平行アレイの外部の軸線方向リブ９３（図１６）あるいは隆起したまたはくぼんだレタリングが、ラッチアームと使用者の親指の機能的な係合を容易にするために、ラッチアーム脚部８４にあってもよい。
【００１３】
蓋３４が、図８〜１７の開放位置から図１〜７の閉鎖位置に、ベース３２の上に閉じられるとき、ラッチアーム８２のタブ８６、８８は、出っ張り７６、７８の外方に面したカム面に係合して、それに沿って乗る。蓋が閉じられるとき、出っ張り７６、７８の外方且つ下方に傾斜した外形は、ラッチアーム８２を、半径方向外方にカム作用により変位させ、蓋が完全に閉じられたとき（図１〜７）、ラッチアーム８２の弾力が、タブ８６、８８を出っ張り７６、７８の下にスナップ止めする。この閉位置では、蓋３４のセグメント状内部ビード６６も、蓋を閉位置に保持するために、ベース３２のセグメント状外部ビード６８に係合し、且つスナップ止めする。蓋を開けるのが望まれるとき、使用者は、側方開口部７４を通じて、ラッチアーム８２に触れて、ラッチアームを半径方向に内方に押さなければならない、そうすると、タブ８６、８８が軸線方向の通路７０内で出っ張り７６、７８を離れる。デッキ３８の支点８０は、ラッチアーム８２のそのような内方撓みのために、ピボット点として作用する。上述のように、内部リブ９０および外部リブ９２は、ラッチ８２を強化するから、ラッチのそのような内方撓みを、大人が容易に行うことができるが、子供が行うことは難しい。次いで、蓋３８を、閉位置から開位置に回動させることができる。蓋スカート部分５８ａの内部リブ９０は、蓋が開かれるとき、支点８０を離れるのに十分間隔をへだてられている。クロージャスカート４４と壁４６との間のラッチアーム８２の配置は、開口部７４を通じてアクセス可能であり、アーム８２に食い付きあるいはてこ作用を与えることによる開きを妨げる。蓋を開くには、２つの実質的に垂直な作用、好ましくは、出っ張り７６、７８を離れる、ラッチアーム８２の半径方向内方移動、およびビード６６、６８を外す、ラッチ８２の上方押上げを要求する。
【００１４】
ベース３２と、ヒンジ３６と、蓋３４と、を含むクロージャ２４は、好ましくは、適当な成形作業で、プラスチック構造物の一体ユニットとして成形する。図１８に示すように、タブ８４、８６の内側面を、好ましくは、クロージャの離型を容易にするために、蓋スカート部分５８ａの外側面と整合させる。
【００１５】
かくして、先に述べた全ての目的および意図を完全に満たす、チャイルドレジスタントクロージャ、チャイルドレジスタントパッケージおよびクロージャの製造方法を開示した。本開示を、現在好ましい実施形態に関連して提示し、多数の変形および変更を、議論した。その他の変更および変更が、前記開示を考慮して、当業者の頭に浮かぶであろう。本開示は、全てのそのような変形および変更を、添付特許請求の範囲の精神および広い範囲の内であるように、含むものである。
【図面の簡単な説明】
【００１６】
【図１】１つの本開示の現在好ましい実施形態による、チャイルドレジスタントパッケージの断片的な斜視図である。
【図２】図１の２−２線にほぼ沿った断片的な断面図である。
【図３】図２の方向３からの断片的な平面図である。
【図４】図２の４−４線にほぼ沿った断面図である。
【図５】図３の５−５線にほぼ沿った断片的な断面図である。
【図６】図３の６−６線にほぼ沿った断片的な断面図である。
【図７】図３の７−７線にほぼ沿った断片的な断面図である。
【図８】図１〜７のパッケージのクロージャの斜視図である。
【図９】図８のクロージャの上平面図である。
【図１０】図９の１０−１０線にほぼ沿った断面図である。
【図１１】図９の領域１１内の部分の拡大図である。
【図１２】図１１の１２−１２線にほぼ沿った断片的な断面図である。
【図１３】図１０の領域１３内の部分の断片的な立面図である。
【図１４】図１０の１４−１４線に沿った断片的な立面図である。
【図１５】クロージャ蓋のラッチアームの断片的な断面図である。
【図１６】図１５のラッチアームの側面図である。
【図１７】ラッチアームの上平面図である。
【図１８】図９の１８−１８線にほぼ沿った断片的な断面図である。
【図１】
2008529916.tif 000003
【図２】
2008529916.tif 000004
【図３】
2008529916.tif 000005
【図４】
2008529916.tif 000006
【図５】
2008529916.tif 000007
【図６】
2008529916.tif 000008
【図７】
2008529916.tif 000009
【図８】
2008529916.tif 000010
【図９】
2008529916.tif 000011
【図１０】
2008529916.tif 000012
【図１１】
2008529916.tif 000013
【図１２】
2008529916.tif 000014
【図１３】
2008529916.tif 000015
【図１４】
2008529916.tif 000016
【図１５】
2008529916.tif 000017
【図１６】
2008529916.tif 000018
【図１７】
2008529916.tif 000019
【図１８】
2008529916.tif 000020
【国際調査報告】
2008529916.tif 000021
2008529916.tif 000022